(57)【要約】【課題】枠画像を容易に拡大表示させることが可能な表示入力装置を提供する。【解決手段】表示入力装置は、罫線枠で囲まれた枠画像を含むページを画面内に表示する表示部と、表示画面に対するタッチ操作を検知するためのタッチパネル部と、タッチパネル部の出力に基づき表示画面に対するタッチ操作を検知するとともに、表示部の表示動作を制御する制御部と、を備え、制御部は、表示画面を所定時間が経過するまでタッチし続ける長押し操作が枠画像の表示領域に対して行われたと判断したとき、長押し操作を拡大操作として受け付け、枠画像の表示サイズを現在のサイズから拡大させる。【選択図】図８
2017091200.tif 000002
【特許請求の範囲】
【請求項１】
罫線枠で囲まれた枠画像を含むページを画面内に表示する表示部と、
前記表示部に設けられ、前記表示部の表示画面に対するタッチ操作を検知するためのタッチパネル部と、
前記タッチパネル部の出力に基づき前記表示部の表示画面に対するタッチ操作を検知するとともに、前記表示部の表示動作を制御する制御部と、を備え、
前記制御部は、前記表示部の表示画面を所定時間が経過するまでタッチし続ける長押し操作が前記枠画像の表示領域に対して行われたと判断したとき、前記長押し操作を前記枠画像の拡大表示を指示するための拡大操作として受け付け、前記枠画像の表示サイズを現在のサイズから拡大させることを特徴とする表示入力装置。
【請求項２】
前記制御部は、前記長押し操作が行われると、前記長押し操作のタッチ位置を認識し、前記タッチ位置を上下方向に挟むとともに左右方向に延びる一対の第１罫線が前記タッチ位置から前記上下方向に第１距離を隔てた位置までの間に存在しており、かつ、前記タッチ位置を前記左右方向に挟むとともに前記上下方向に延びる一対の第２罫線が前記タッチ位置から前記左右方向に第２距離を隔てた位置までの間に存在していれば、前記枠画像の表示領域に対して前記長押し操作が行われたと判断することを特徴とする請求項１に記載の表示入力装置。
【請求項３】
前記制御部は、所定条件を満たす形状を有する線画像を罫線と認識することを特徴とする請求項２に記載の表示入力装置。
【請求項４】
前記制御部は、前記枠画像の中心が前記表示部の表示画面の予め定められた中心領域に配置されるよう前記枠画像を拡大表示させることを特徴とする請求項１〜３のいずれか１項に記載の表示入力装置。
【請求項５】
前記制御部は、前記表示部の画面枠と前記枠画像との間に空白領域が生じるように前記枠画像を拡大表示させ、予め定められたタッチ操作である復帰操作が前記空白領域に対して行われたとき、前記枠画像の表示サイズを前記拡大操作が行われる直前のサイズに復帰させることを特徴とする請求項１〜４のいずれか１項に記載の表示入力装置。
【請求項６】
前記制御部は、前記枠画像を取り囲むように前記空白領域を生じさせることを特徴とする請求項５に記載の表示入力装置。
【請求項７】
前記枠画像の表示領域は、テキスト情報を入力するための入力操作をユーザーから受け付ける領域であり、前記入力操作により入力されたテキスト情報を表示する領域であることを特徴とする請求項１〜６のいずれか１項に記載の表示入力装置。
【請求項８】
請求項１〜７のいずれか１項に記載の表示入力装置を備えることを特徴とする画像形成装置。
【発明の詳細な説明】
【技術分野】
【０００１】
本発明は、表示入力装置およびそれを備えた画像形成装置に関する。
【背景技術】
【０００２】
従来、文字などのテキスト情報を入力するための操作（以下、入力操作と称する）をユーザーから受け付け、入力操作により入力されたテキスト情報を表示する表示入力装置が知られている。このような表示入力装置は、たとえば、特許文献１に開示されている。特許文献１の表示入力装置は、タッチパネルディスプレイを備えた携帯端末である。
【０００３】
たとえば、従来の表示入力装置は、入力欄を含むページを表示したときに、ユーザーから入力操作を受け付ける。ここで、ページ内の一領域を罫線枠で囲み、その罫線枠で囲んだ領域を入力欄とする場合がある。この場合、罫線枠で囲まれた枠画像が入力欄として表示される。そして、表示入力装置は、入力操作により入力されたテキスト情報を枠画像の表示領域に表示する。
【先行技術文献】
【特許文献】
【０００４】
【特許文献１】特開２０１４−６８２６２号公報
【発明の概要】
【発明が解決しようとする課題】
【０００５】
入力欄として枠画像を表示し、入力操作により入力されたテキスト情報を枠画像の表示領域に表示する場合において、枠画像の表示サイズが小さければ、その枠画像の表示領域に表示されたテキスト情報が見難くなるなどの不都合が生じる。このような不都合を解消するため、表示入力装置には、枠画像を拡大表示するための拡大操作を受け付けるものがある。
【０００６】
ここで、タッチパネルディスプレイを表示手段とする表示入力装置（たとえば、特許文献１のような表示入力装置）では、ピンチアウト操作と称されるタッチ操作を拡大操作として受け付けるのが一般的である。ピンチアウト操作というのは、タッチパネルディスプレイの２点を指でタッチし、２点をタッチしたまま２点間の間隔を広げていくタッチ操作である。すなわち、この構成では、枠画像の表示領域の２点を指でタッチし、２点をタッチしたまま２点間の間隔を広げることによって、枠画像を拡大表示させることができる。
【０００７】
しかし、ピンチアウト操作により枠画像を拡大表示させるには、タッチパネルディスプレイを指でタッチした後、タッチを維持したまま指を移動させなければならないので、タッチパネルディスプレイに対するタッチ操作に不慣れなユーザーからすると、煩わしく利便性が悪い（操作性が悪い）。また、枠画像を拡大表示させるためにピンチアウト操作を行っている最中に、意図せずタッチパネルディスプレイから指が離れてしまうと、再度、ピンチアウト操作を行わなければならない。
【０００８】
本発明は、上記課題を解決するためになされたものであり、ページ内の枠画像を容易に拡大表示させることが可能な表示入力装置およびそれを備えた画像形成装置を提供することを目的とする。
【課題を解決するための手段】
【０００９】
上記目的を達成するため、本発明の表示入力装置は、罫線枠で囲まれた枠画像を含むページを画面内に表示する表示部と、表示部に設けられ、表示部の表示画面に対するタッチ操作を検知するためのタッチパネル部と、タッチパネル部の出力に基づき表示部の表示画面に対するタッチ操作を検知するとともに、表示部の表示動作を制御する制御部と、を備える。そして、制御部は、表示部の表示画面を所定時間が経過するまでタッチし続ける長押し操作が枠画像の表示領域に対して行われたと判断したとき、長押し操作を枠画像の拡大表示を指示するための拡大操作として受け付け、枠画像の表示サイズを現在のサイズから拡大させる。
【００１０】
本発明の構成では、罫線枠で囲まれた枠画像（たとえば、入力欄を示す画像）を含むページが表示されているときに、枠画像の表示領域に対して長押し操作を行うと、その長押し操作が拡大操作として検知され、枠画像が拡大表示される。このため、枠画像を拡大表示させるときには、枠画像の表示領域に対して長押し操作を１回行うだけでよくなる（ピンチアウト操作を行う必要はない）。したがって、容易に、ページ内の枠画像を拡大表示させることができる。なお、長押し操作はタッチパネルディスプレイの１点をタッチし続けるだけのタッチ操作であるので、タッチパネルディスプレイに対するタッチ操作に不慣れなユーザーであっても、容易に行うことができる。また、長押し操作はタッチ後にタッチ位置を移動させる必要はないので、操作中に意図せずタッチが解除される、という不都合は生じ難い。
【発明の効果】
【００１１】
以上のように、本発明の構成では、ページ内の枠画像を容易に拡大表示させることができる。
【図面の簡単な説明】
【００１２】
【図１】本発明の一実施形態による画像形成装置を示す図
【図２】本発明の一実施形態による操作パネル（表示入力装置）を示す図
【図３】本発明の一実施形態による画像形成装置および操作パネルのハードウェア構成を示す図
【図４】本発明の一実施形態による操作パネルが入力操作を受けたときの表示動作を示す図
【図５】本発明の一実施形態による操作パネルが長押し操作を受けたときに行う処理（長押し操作が枠画像の表示領域に対して行われたか否かを判断する処理）について説明するための図
【図６】本発明の一実施形態による操作パネルが長押し操作を受けたときに行う処理（長押し操作が枠画像の表示領域に対して行われたか否かを判断する処理）について説明するための図
【図７】本発明の一実施形態による操作パネルが長押し操作を受けたときに行う処理（長押し操作が枠画像の表示領域に対して行われたか否かを判断する処理）について説明するための図
【図８】本発明の一実施形態による操作パネルが長押し操作を拡大操作として検知したときの表示動作を示す図
【図９】本発明の一実施形態による操作パネルが長押し操作を拡大操作として検知しなかったときの表示動作を示す図
【図１０】本発明の一実施形態による操作パネルが枠画像を拡大表示したときの図
【図１１】本発明の一実施形態による操作パネルが空白領域に対するタッチ操作を検知したときの表示動作を示す図
【図１２】本発明の一実施形態による操作パネルが空白領域以外の領域に対するタッチ操作を検知したときの表示動作を示す図
【発明を実施するための形態】
【００１３】
以下に、本発明の一実施形態による表示入力装置を備えた画像形成装置について、コピー機能やプリンター機能など複数種の機能が搭載された画像形成装置（複合機）を例にとって説明する。
【００１４】
＜画像形成装置の全体構成＞
図１に示すように、画像形成装置１００は、画像読取部１および印刷部２を備える。画像読取部１は、原稿を読み取って原稿の画像データを生成する。印刷部２は、用紙搬送路２１に沿って用紙を搬送し、画像データに基づきトナー像を形成する。そして、印刷部２は、搬送中の用紙にトナー像を転写（印刷）する。また、印刷部２は、印刷済みの用紙を排出トレイ２２に排出する。
【００１５】
印刷部２は、給紙部３、用紙搬送部４、画像形成部５および定着部６によって構成される。給紙部３は、ピックアップローラー３１および給紙ローラー対３２を含み、用紙カセット３３に収容された用紙を用紙搬送路２１に供給する。用紙搬送部４は、複数の搬送ローラー対４１を含み、用紙搬送路２１に沿って用紙を搬送する。
【００１６】
画像形成部５は、感光体ドラム５１、帯電装置５２、露光装置５３、現像装置５４、転写ローラー５５およびクリーニング装置５６を含む。そして、画像形成部５は、画像データに基づきトナー像を形成し、そのトナー像を用紙に転写する。定着部６は、加熱ローラー６１および加圧ローラー６２を含み、用紙に転写されたトナー像を加熱および加圧して定着させる。
【００１７】
ここで、画像形成装置１００には、操作パネル７が設置される。操作パネル７は、「表示入力装置」に相当する。この操作パネル７は、たとえば、画像形成装置１００の正面側（図１の破線で示す箇所）に配置される。
【００１８】
操作パネル７には、図２に示すように、タッチパネルディスプレイ７１が設けられる。タッチパネルディスプレイ７１は、表示部７２およびタッチパネル部７３を含む。表示部７２は、液晶表示パネルや有機ＥＬ表示パネルなどの表示パネルである。タッチパネル部７３は、表示部７２の表示面を覆うように配置される。たとえば、タッチパネルディスプレイ７１は、ジョブ実行条件の設定など各種設定を受け付けるためのソフトウェアキーを表示部７２に表示し、タッチパネル部７３を介して各種設定をユーザーから受け付ける（ソフトウェアキーに対するタッチ操作を受け付ける）。なお、操作パネル７には、スタートキー、ストップキー、リセットキーおよびテンキーなど種々のハードウェアキー７４も設けられる。
【００１９】
＜画像形成装置（操作パネル）のハードウェア構成＞
図３に示すように、画像形成装置１００は、主制御部１１０を備える。主制御部１１０は、ＣＰＵ１１１、画像処理部１１２および本体記憶部１１３を含む。画像処理部１１２は、画像処理専用のＡＳＩＣなどからなり、画像データに対して画像処理（拡大／縮小、濃度変換およびデータ形式変換など）を施す。本体記憶部１１３は、ＲＯＭやＲＡＭ、ＨＤＤなどからなり、制御用のプログラムおよびデータを記憶する。そして、主制御部１１０は、制御用のプログラムおよびデータに基づき、画像読取部１の読取動作および印刷部２（給紙部３、用紙搬送部４、画像形成部５および定着部６）の印刷動作を制御する。
【００２０】
操作パネル７は、パネル制御部７１０を含む。このパネル制御部７１０は、主制御部１１０と接続される。また、パネル制御部７１０は、パネルＣＰＵ７１１およびパネルメモリー７１２を含む。なお、パネル制御部７１０は「制御部」に相当する。
【００２１】
パネル制御部７１０は、主制御部１１０から指示を受け、表示部７２の表示動作を制御する。また、パネル制御部７１０は、表示部７２の表示画面に対するタッチ操作をタッチパネル部７３の出力に基づき検知する。さらに、パネル制御部７１０は、ハードウェアキー７４に対する押下操作も検知する。
【００２２】
たとえば、パネル制御部７１０は、ソフトウェアキーなどを配した画面を表示部７２に表示させ、そのソフトウェアキーに対してタッチ操作（ソフトウェアキーの表示領域をタップする操作）が行われると、タッチパネル部７３の出力に基づきタッチ操作が行われたソフトウェアキーを検知する。そして、パネル制御部７１０は、検知したソフトウェアキーに対応する画面が表示されるように、表示画面の切り替えを表示部７２に行わせる。
【００２３】
また、主制御部１１０は、通信部１２０と接続される。通信部１２０は、画像形成装置１００のユーザーにより使用されるパーソナルコンピューター（ＰＣ）２００とネットワークを介して通信可能に接続される。これにより、ＰＣ２００から画像形成装置１００に送信した画像データに基づく印刷を画像形成装置１００に実行させることができる。さらに、画像形成装置１００で実行された原稿読取により得られる原稿の画像データを画像形成装置１００からＰＣ２００に送信することもできる。
【００２４】
＜枠画像の表示＞
操作パネル７は、ユーザー名などのテキスト情報（文字や数字、記号など）を入力するための入力操作をユーザーから受け付ける。たとえば、パネル制御部７１０は、図４に示すようなページ８１（署名用の入力欄を含むページ）をタッチパネルディスプレイ７１にプレビュー表示させる。すなわち、タッチパネルディスプレイ７１の表示画面８０（四角形状の画面）は、ページ８１を配した画面となる。そして、パネル制御部７１０は、ページ８１の表示中に、入力操作の受け付けをタッチパネルディスプレイ７１に行わせる。
【００２５】
たとえば、ページ８１は、罫線枠（罫線Ｒからなる枠）によって囲まれた枠画像８２を含む。枠画像８２というのは、罫線枠の画像と罫線枠の枠内の画像とを含む画像のことである。枠画像８２は、その表示領域がユーザーによる入力操作によって入力されたテキスト情報を表示する領域であることを示す。言い換えると、枠画像８２は、入力欄を示す。なお、罫線枠を構成する罫線Ｒ以外の罫線Ｒもページ８１内に含まれる場合もある。
【００２６】
この枠画像８２の罫線枠は、上下方向に対向するとともに左右方向に延びる一対の罫線Ｒ、および、左右方向に対向するとともに上下方向に延びる一対の罫線Ｒからなる。上下方向というのは、タッチパネルディスプレイ７１の表示画面８０の左辺（右辺）が延びる方向である。左右方向というのは、タッチパネルディスプレイ７１の表示画面８０の上辺（下辺）が延びる方向であり、上下方向と直交する方向である。
【００２７】
テキスト情報を入力するための入力操作が行われると、パネル制御部７１０は、タッチパネルディスプレイ７１に指示し、入力操作により入力されたテキスト情報を枠画像８２の表示領域（罫線枠の内側）に表示させる。図４では、「ｋｙｏｃｅｒａ」というテキスト情報が入力された例を図示する。
【００２８】
ここで、操作パネル７には、手書き入力機能が搭載される。たとえば、ページ８１に対する署名は、手書き入力でしか行えないようになっている。すなわち、ソフトウェアキーボードなどを用いた入力は行えない。なお、手書き入力は指で行われてもよいし、タッチペンで行われてもよい。
【００２９】
パネル制御部７１０は、タッチパネルディスプレイ７１にページ８１を表示させると、手書き入力操作が行われたか否かを判断する。ここで、手書き入力では、一般的に、タッチパネルディスプレイ７１をタッチしたままタッチ位置を移動させる操作が行われる。あるいは、タッチパネルディスプレイ７１をタッチして直ぐにタッチを解除する操作も行われる（当該操作は「点」を書くとき行われる）。このため、パネル制御部７１０により手書き入力操作として判断される操作は、タッチパネルディスプレイ７１をタッチしたままタッチ位置を移動させる操作や、タッチパネルディスプレイ７１をタッチして直ぐにタッチを解除する操作である。
【００３０】
＜枠画像のサイズ拡大＞
ページ８１内の枠画像８２（入力欄を示す画像）の表示サイズが小さい場合には、手書き入力操作の操作性が悪くなる。このため、パネル制御部７１０は、枠画像８２の拡大表示を指示するための拡大操作の受け付けをタッチパネルディスプレイ７１に行わせる。拡大操作というのは、予め定められたタッチ操作である。そして、パネル制御部７１０は、タッチパネルディスプレイ７１が拡大操作を受け付けると、タッチパネルディスプレイ７１に指示し、枠画像８２を拡大表示させる。
【００３１】
具体的に、パネル制御部７１０は、タッチパネルディスプレイ７１の表示画面８０の１点を所定時間が経過するまでタッチし続ける長押し操作を検知すると、その長押し操作が枠画像８２の表示領域に対して行われたか否かを判断する。そして、パネル制御部７１０は、枠画像８２の表示領域に対して長押し操作が行われたと判断すると、長押し操作を拡大操作として扱う（枠画像８２が拡大表示される）。
【００３２】
ここで、タッチパネルディスプレイ７１の表示画面８０に対して長押し操作が行われると、図５および図６に示すように、パネル制御部７１０は、長押し操作のタッチ位置Ｐ０を認識する。そして、パネル制御部７１０は、タッチ位置Ｐ０を上下方向に挟むとともに左右方向に延びる一対の第１罫線Ｒ１がタッチ位置Ｐ０から上下方向に第１距離Ｌ１を隔てた位置Ｐ１までの間（第１距離範囲内）に存在するか否かを判断する（図５参照）。位置Ｐ１は、タッチ位置Ｐ０から上方向に第１距離Ｌ１を隔てた位置、および、タッチ位置Ｐ０から下方向に第１距離Ｌ１を隔てた位置である。さらに、パネル制御部７１０は、タッチ位置Ｐ０を左右方向に挟むとともに上下方向に延びる一対の第２罫線Ｒ２がタッチ位置Ｐ０から左右方向に第２距離Ｌ２を隔てた位置Ｐ２までの間（第２距離範囲内）に存在するか否かを判断する（図６参照）。位置Ｐ２は、タッチ位置Ｐ０から左方向に第２距離Ｌ２を隔てた位置、および、タッチ位置Ｐ０から右方向に第２距離Ｌ２を隔てた位置である。
【００３３】
その結果、一対の第１罫線Ｒ１が第１距離範囲内に存在しており、かつ、一対の第２罫線Ｒ２が第２距離範囲内に存在していると判断した場合、パネル制御部７１０は、表示画面８０への長押し操作が枠画像８２の表示領域に対して行われたと判断する。言い換えると、パネル制御部７１０は、一対の第１罫線Ｒ１および一対の第２罫線Ｒ２がそれぞれ枠画像８２の枠を構成する罫線Ｒであると判断する。
【００３４】
たとえば、図５および図６に示す例では、一対の第１罫線Ｒ１が第１距離範囲内に存在し、一対の第２罫線Ｒ２が第２距離範囲内に存在する。したがって、パネル制御部７１０は、枠画像８２の表示領域に対して長押し操作が行われたと判断する。すなわち、パネル制御部７１０は、拡大操作が行われたと判断する。仮に、図７に示すように、タッチ位置Ｐ０から第２罫線Ｒ２までの左右方向の距離Ｌが第２距離Ｌ２よりも大きい場合（枠画像８２の左右方向のサイズが大きい場合）には、枠画像８２の表示領域に対して長押し操作を行ったとしても、その長押し操作は拡大操作と判断されない（枠画像８２は拡大表示されない）。また、図示しないが、タッチ位置Ｐ０から第１罫線Ｒ１までの上下方向の距離が第１距離Ｌ１よりも大きい場合（枠画像８２の上下方向のサイズが大きい場合）にも、枠画像８２の表示領域に対して長押し操作を行ったとしても、その長押し操作は拡大操作と判断されない。
【００３５】
なお、第１距離Ｌ１および第２距離Ｌ２の各値は予め定められているが、任意に変更可能である。たとえば、第１距離Ｌ１および第２距離Ｌ２の各値を示す距離情報がパネル制御部７１０のパネルメモリー７１２に記憶される。そして、距離情報の更新指示をユーザーから受け付けると（距離情報を更新するための操作を操作パネル７が受け付けると）、パネル制御部７１０は、ユーザーからの指示に基づき距離情報を更新する。すなわち、第１距離Ｌ１および第２距離Ｌ２の各値が変更される。
【００３６】
また、パネル制御部７１０は、枠画像８２の表示領域に対して長押し操作が行われたか否かを判断するのに際し、ＯＣＲ（Ｏｐｔｉｃａｌ  Ｃｈａｒａｃｔｅｒ  Ｒｅａｄｅｒ）技術を用いて罫線Ｒを認識する処理である罫線認識処理を行う。この罫線認識処理を行うため、パネル制御部７１０のパネルメモリー７１２には、ＯＣＲアプリケーションが予め記憶される。
【００３７】
たとえば、パネル制御部７１０は、罫線認識処理を行うとき、罫線認識処理の対象となる線画像を抽出する。そして、パネル制御部７１０は、パターンマッチング用の基準罫線画像と抽出線画像とを比較する処理（マッチング処理）を行い、基準罫線画像および抽出線画像の各形状が類似するか否かを判断する。言い換えると、パネル制御部７１０は、抽出線画像が所定条件を満たす形状を有するか否かを判断する。その結果、基準罫線画像および抽出線画像の各形状が類似すると判断した場合（抽出線画像が所定条件を満たす形状を有すると判断した場合）、パネル制御部７１０は、抽出線画像を罫線Ｒと認識する。
【００３８】
パネル制御部７１０は、枠画像８２の表示領域に対して長押し操作が行われた（拡大操作が行われた）と判断すると、図８に示すように、枠画像８２の拡大表示をタッチパネルディスプレイ７１に行わせる。これにより、枠画像８２の表示サイズは現在のサイズから拡大される。すなわち、タッチパネルディスプレイ７１の表示画面８０は、拡大後の枠画像８２を配した画面となる。図８では、タッチ位置を白丸で示す。
【００３９】
たとえば、図９に示すような位置に対して長押し操作を行っても、その長押し操作は拡大操作と判断されない（表示画面８０は変化しない）。なぜなら、図９に示す例では、長押し操作のタッチ位置の上下方向には罫線Ｒが存在するが、左右方向には罫線Ｒが存在しないためである。図９では、タッチ位置を白丸で示す。
【００４０】
また、パネル制御部７１０は、枠画像８２の拡大表示をタッチパネルディスプレイ７１に行わせるとき、図１０に示すように、枠画像８２の中心Ｃを表示画面８０の予め定められた中心領域８０Ａ（ハッチングを施した部分）に配置させる。
【００４１】
さらに、パネル制御部７１０は、タッチパネルディスプレイ７１の表示画面８０の画面枠８３と枠画像８２との間に空白領域ＢＡが生じるように枠画像８２を拡大表示させる。すなわち、枠画像８２の拡大後の表示サイズは、画面枠８３のサイズよりも小さい（枠画像８２が全画面表示されるわけではない）。なお、画面枠８３というのは、タッチパネルディスプレイ７１の表示領域（タッチ操作を受け付ける有効領域）を規定する枠である。
【００４２】
また、パネル制御部７１０は、枠画像８２が全周にわたって取り囲まれるように空白領域ＢＡを生じさせる。たとえば、枠画像８２の上下方向に存在する空白領域ＢＡの上下方向の長さＬｅ１は、画面枠８３の上下方向の長さの数％〜十数％（たとえば、５％）とされる。また、画面枠８３の左右方向に存在する空白領域ＢＡの左右方向の長さＬｅ２は、画面枠８３の左右方向の長さの数％〜十数％（たとえば、５％）とされる。
【００４３】
＜枠画像のサイズ復帰＞
枠画像８２を拡大表示させた後、パネル制御部７１０は、復帰操作の受け付けをタッチパネルディスプレイ７１に行わせる。なお、復帰操作というのは、予め定められたタッチ操作であり、枠画像８２の表示サイズの復帰を指示するための操作である。そして、図１１に示すように、パネル制御部７１０は、タッチパネルディスプレイ７１が復帰操作を受け付けると、タッチパネルディスプレイ７１に指示し、枠画像８２の表示サイズを拡大操作が行われる直前のサイズに復帰させる。
【００４４】
たとえば、パネル制御部７１０は、空白領域ＢＡの１点（または、複数点）をタッチして直ぐにタッチを解除するタッチ操作（タップ操作と称される操作）が行われると、そのタップ操作を復帰操作として検知する。図１１では、タッチ位置を白丸で示す。
【００４５】
なお、空白領域ＢＡに対するタップ操作を連続して２回行うタッチ操作（ダブルタップ操作と称される操作）を復帰操作としてもよいし、空白領域ＢＡをタッチしたままタッチ位置を移動させるタッチ操作（フリック操作やスワイプ操作と称される操作）を復帰操作としてもよい。あるいは、空白領域ＢＡに対する長押し操作を復帰操作としてもよい。
【００４６】
ここで、図１２に示すように、拡大後の枠画像８２の表示領域に対して、復帰操作に対応するタッチ操作が行われても、パネル制御部７１０は、当該タッチ操作を復帰操作として検知しない（表示画面８０は変化しない）。たとえば、拡大後の枠画像８２の表示領域に対して行われたタッチ操作がタップ操作やフリック操作であった場合には、それら操作は手書き入力操作として扱われる。図１２では、タッチ位置を白丸で示す。
【００４７】
本実施形態の画像形成装置１００の操作パネル７（表示入力装置）は、上記のように、罫線枠で囲まれた枠画像８２（入力欄を示す画像）を含むページ８１を画面内に表示する表示部７２と、表示部７２に設けられ、表示部７２の表示画面８０に対するタッチ操作を検知するためのタッチパネル部７３と、タッチパネル部７３の出力に基づき表示部７２の表示画面８０に対するタッチ操作を検知するとともに、表示部７２の表示動作を制御するパネル制御部７１０（制御部）と、を備える。そして、パネル制御部７１０は、タッチパネルディスプレイ７１の表示画面８０を所定時間が経過するまでタッチし続ける長押し操作が枠画像８２の表示領域に対して行われたと判断したとき、タッチパネルディスプレイ７１の表示画面８０に対する長押し操作を枠画像８２の拡大表示を指示するための拡大操作として受け付け、枠画像８２の表示サイズを現在のサイズから拡大させる。
【００４８】
本実施形態の構成では、罫線枠で囲まれた枠画像８２を含むページ８１が表示されているときに、枠画像８２の表示領域に対して長押し操作を行うと、その長押し操作が拡大操作として検知され、枠画像８２が拡大表示される。このため、枠画像８２を拡大表示させるときには、枠画像８２の表示領域に対して長押し操作を１回行うだけでよくなる（ピンチアウト操作を行う必要はない）。したがって、容易に、ページ８１内の枠画像８２を拡大表示させることができる。なお、長押し操作はタッチパネルディスプレイ７１の１点をタッチし続けるだけのタッチ操作であるので、タッチパネルディスプレイ７１に対するタッチ操作に不慣れなユーザーであっても、容易に行うことができる。また、長押し操作はタッチ後にタッチ位置を移動させる必要はないので、操作中に意図せずタッチが解除される、という不都合は生じ難い。
【００４９】
また、本実施形態では、上記のように、パネル制御部７１０は、タッチパネルディスプレイ７１の表示画面８０に対して長押し操作が行われると、長押し操作のタッチ位置Ｐ０を認識し、タッチ位置Ｐ０を上下方向に挟むとともに左右方向に延びる一対の第１罫線Ｒ１がタッチ位置Ｐ０から上下方向に第１距離Ｌ１を隔てた位置Ｐ１までの間（第１距離範囲内）に存在しており、かつ、タッチ位置Ｐ０を左右方向に挟むとともに上下方向に延びる一対の第２罫線Ｒ２がタッチ位置Ｐ０から左右方向に第２距離Ｌ２を隔てた位置Ｐ２までの間（第２距離範囲内）に存在していれば、枠画像８２の表示領域に対して長押し操作が行われたと判断する（拡大操作が行われたと判断する）。このように構成すれば、枠画像８２の表示領域に対して長押し操作が行われたか否かを容易に判断することができる。
【００５０】
さらに、この構成では、ユーザーからすると、枠画像８２の表示領域以外の領域（罫線枠で囲まれていない領域）に対して誤って長押し操作を行ったとしても、当該領域の画像が拡大表示されることはないので、利便性が良い（意図しない領域の画像が不必要に拡大表示されるのを抑制することができる）。仮に、意図しない領域の画像が拡大表示されると、当該領域の画像の表示サイズを元のサイズに戻すための操作を行わなければならないので、ユーザーの利便性が低下する。
【００５１】
また、本実施形態では、上記のように、パネル制御部７１０は、所定条件を満たす形状を有する線画像を罫線Ｒと認識する。このように構成すれば、所定条件を満たす形状を有する線画像以外の画像（たとえば、文字や数字などのテキスト画像）が罫線Ｒと認識されることはない。これにより、一対の第１罫線Ｒ１および一対の第２罫線Ｒ２がそれぞれ第１距離範囲内および第２距離範囲内に存在するか否かの判断が行われるときに、テキスト画像が第１罫線Ｒ１や第２罫線Ｒ２として抽出されるのを抑制することができる。
【００５２】
また、本実施形態では、上記のように、パネル制御部７１０は、枠画像８２の中心Ｃがタッチパネルディスプレイ７１の表示画面８０の中心領域８０Ａに配置されるよう枠画像８２を拡大表示させる。このように構成すれば、枠画像８２の表示領域に対して手書き入力操作を行うときの操作性が良くなる。
【００５３】
また、本実施形態では、上記のように、パネル制御部７１０は、タッチパネルディスプレイ７１の画面枠８３と枠画像８２との間に空白領域ＢＡが生じるように枠画像８２を拡大表示させる。そして、パネル制御部７１０は、空白領域ＢＡに対して復帰操作（予め定められたタッチ操作）が行われたとき、枠画像８２の表示サイズを拡大操作が行われる直前のサイズに復帰させる（元のサイズに戻す）。ここで、枠画像８２の表示領域に対してピンチイン操作（タッチパネルディスプレイ７１の２点を指でタッチし、２点をタッチしたまま２点間の間隔を狭めていくタッチ操作）を行うことによっても、枠画像８２の表示サイズを元のサイズに戻すことは可能である。しかし、枠画像８２の表示領域に対するピンチイン操作を正しく行えなかった場合には、そのピンチイン操作が手書き入力操作として誤検知される恐れがある。一方で、空白領域ＢＡに対して復帰操作を行うと枠画像８２の表示サイズが元のサイズに戻る構成では、枠画像８２の表示領域をタッチする必要がないので、復帰操作が手書き入力操作として誤検知されるのを抑制することがでる。
【００５４】
また、本実施形態では、上記のように、パネル制御部７１０は、枠画像８２を取り囲むように空白領域ＢＡを生じさせる。このように構成すれば、復帰操作を行うことが可能な領域が増えるので、復帰操作の操作性を向上させることができる。
【００５５】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【符号の説明】
【００５６】
７  操作パネル（表示入力装置）
７２  表示部
７３  タッチパネル部
８０  表示画面
８０Ａ  中心領域
８１  ページ
８２  枠画像
８３  画面枠
１００  画像形成装置
７１０  パネル制御部（制御部）
ＢＡ  空白領域
Ｃ  中心
Ｌ１  第１距離
Ｌ２  第２距離
Ｒ  罫線
Ｒ１  第１罫線
Ｒ２  第２罫線
【図１】
2017091200.tif 000003
【図２】
2017091200.tif 000004
【図３】
2017091200.tif 000005
【図４】
2017091200.tif 000006
【図５】
2017091200.tif 000007
【図６】
2017091200.tif 000008
【図７】
2017091200.tif 000009
【図８】
2017091200.tif 000010
【図９】
2017091200.tif 000011
【図１０】
2017091200.tif 000012
【図１１】
2017091200.tif 000013
【図１２】
2017091200.tif 000014